(57)【要約】【課題】印刷や加飾フィルムを用いることなく、無地の紙基材にエンボス加工を施すだけで、アイキャッチ性（視認性）や加飾性（装飾性）に優れた紙容器用の紙製スリーブ及び紙容器を提供する。【解決手段】一周する一続きの曲面を有し、この曲面にエンボス加工を施すことにより略同形状のセル（ダイヤセル３０）が隙間なく連なって形成された紙容器用の紙製スリーブ（外スリーブ３）であって、前記各セル（ダイヤセル３０）は、複数の平面（上面３１，下面３２，左面３３，右面３４）が異なった角度で交差する表面形状を有した突起を備えていることを特徴とする。【選択図】図１
2017030852.tif 000002
【特許請求の範囲】
【請求項１】
一周する一続きの曲面を有し、この曲面にエンボス加工を施すことにより略同形状のセルが隙間なく連なって形成された紙容器用の紙製スリーブであって、
前記各セルは、複数の平面が異なった角度で交差する表面形状を有した突起を備えていること
を特徴とする紙容器用紙製スリーブ。
【請求項２】
前記表面形状は、交差する平面同士の交差角度が２０°以上であること
を特徴とする請求項１に記載の紙容器用紙製スリーブ。
【請求項３】
面発光で内部を一定照度に保つことが可能なドーム照明内に水平面に対して６０°傾斜した状態で設置され、前記ドーム照明内の照度を１１００ルクスに設定したときに、前記ドーム照明の中央上方から測定した前記表面形状で反射する前記各セル内の最高輝度点と最低輝度点との輝度差が５０ｃｄ／ｍ2以上となっていること
を特徴とする請求項１又は２に記載の紙容器用紙製スリーブ。
【請求項４】
前記各セルの最高輝度点と最低輝度点の間隔が６ｍｍ以上１４ｍｍ以下となっていること
を特徴とする請求項３に記載の紙容器用紙製スリーブ。
【請求項５】
上方に向かって拡径する内カップの外周に前記請求項１ないし４のいずれかに記載の紙容器用紙製スリーブが巻着されていることを特徴とする紙容器。
【請求項６】
前記内カップの側周面が鉛直面となす傾斜角度をａ°、前記各セルの前記表面形状を形成する最上面が前記内カップの側周面となす交差角度をｂ°、光源の中心線が水平面となす照明角度をｃ°とした場合、交差角度ｂが次式を満たすこと
を特徴とする請求項５に記載の紙容器。
【数１】
2017030852.tif 000006
【発明の詳細な説明】
【技術分野】
【０００１】
本発明は、紙容器用紙製スリーブ及び紙容器に関し、詳しくは、エンボス加工を施すことにより略同形状のセルが隙間なく連なって形成された紙容器用紙製スリーブ及び紙容器に関する。
【背景技術】
【０００２】
従来、上方に向かって拡径するテーパーの付いた円筒状（円柱台状）の内カップの外周に直接曲面状のエンボス加工を施した紙容器や、同様の内カップの外周に曲面状のエンボス加工を施した紙製スリーブを巻着した飲食用の紙容器が提案されている。
【０００３】
例えば、特許文献１には、飲料を保持するための壁が一重の紙容器であって、１つの層の厚紙を有する側壁部１２と、液体用容器を形成するために側壁部１２に取り付けられている底壁部１４と、側壁部１２と一体に形成されていて、側壁部１２の内面および外面上で見ることができる複数の非断熱性刻印パターン１８を含み、刻印パターン１８が容器１０の側壁部１２上に凹凸のある握り面を形成する十分な深さを有する壁が一重の紙容器が開示されている（特許文献１の特許請求の範囲の請求項１、明細書の段落［００１５］〜［００２０］、図２等参照）。
【０００４】
また、特許文献２には、上端を蓋材６で密封し、胴材１並びに底材３が、外面側から熱接着性樹脂層、紙層、熱接着性樹脂層、ガスバリア材層、熱接着性樹脂層を順に積層してなる積層シートからなり、かつ蓋材６がガスバリア材層、シーラント層を積層した積層シートからなるカップ紙容器であって、胴部２の少なくとも一箇所に、直径５ｍｍ以上の平坦部９と、平坦部９を中心に放射状に二対以上の線状エンボス１０と、が形成されていることを特徴とし、環境温度が変化し、カップ紙容器の胴部に凹みが生じても、商品の外観を損なわないカップ紙容器が開示されている（特許文献２の特許請求の範囲の請求項１、明細書の段落［００３５］〜［００４５］、図１等参照）。
【０００５】
しかし、特許文献１に記載の紙容器や、特許文献２に記載のカップ紙容器は、エンボス加工を施した紙基材だけでは装飾性に乏しく、加飾性（装飾性）やアイキャッチ性（視認性）を充分なものとするには、エンボス加工の他、外周面に印刷や樹脂フィルム等で装飾を付加する必要があるという問題があった。これは、紙は伸縮性の乏しい材料であるため、エンボス加工を施す場合は紙の繊維を部分的に切断等する必要があり、液体を収容するカップの機能を損なわないでカップ周面の一周に亘って略同形状のセルを隙間なく連なって形成することが困難であり、カップの周面全体に亘ってエンボス加工で装飾性を付加（加飾）できていないことが起因していると思われる。
【０００６】
また、カップ容器ではないが、特許文献３には、板紙を主体とした紙基材３０の表面に所望の形状の凹部を形成するに際して、凹部周縁内面に相当する形状のエンボス用押し罫刃４２と、このエンボス用押し罫刃４２周縁より略紙基材３０の厚さ分の周縁内面でなる凹部を有する雌型５０との間に、紙基材３０を挟み込んで押圧することにより製造され、エンボス版を別途必要とせず紙容器の表面にエンボス加工で凹凸を付けて加飾して商品価値を高めたエンボス加飾紙容器１が開示されている（特許文献３の特許請求の範囲の請求項１，４、明細書の段落［００３５］〜［００４５］、図２，図４等参照）。
【０００７】
カップ容器としては、特許文献４に、紙基材２の両面にポリエチレン、ポリプロピレンなどのオレフィン系の樹脂が積層された板紙４からなる胴部２と底部３とを備えるカップ状の紙容器１において、胴部２の外表面側の樹脂層６に、軟質状態の時のその樹脂層６を型押してなる微細凹溝８から構成されたパターン７を設け、紙容器のデザイン性を向上させた紙容器が開示されている（特許文献４の特許請求の範囲の請求項１，２、明細書の段落［０００９］〜［００１３］、図１，図２等参照）。
【０００８】
しかしながら、特許文献３に記載のエンボス加飾紙容器や特許文献４に記載の紙容器も、特許文献１に記載の紙容器や、特許文献２に記載のカップ紙容器と同様に、加飾性（装飾性）やアイキャッチ性を充分なものとするには、エンボス加工の他、外周面に印刷や樹脂フィルム等で装飾を付加する必要があるという問題を解消するには至っていなかった。
【０００９】
このような問題に鑑み本願発明者らは、エンボス加工の凹凸に起因する輝度差と空間周波数特性に着目し、人間の視覚におけるアイキャッチ性という極めて主観的で不確定要素が多いものを、人間工学的な手法により現実的・定量的に把握することを試み、伸縮性のない紙基材から一周する一続きの曲面にエンボス加工により略同形状のセルを隙間なく連設する技術に、定量的に把握したこれらの見地を加味して新たなエンボス加工紙製スリーブを開発した。
【先行技術文献】
【特許文献】
【００１０】
【特許文献１】特開２００６−４４７９９号公報
【特許文献２】特開２０１２−１６２２９６号公報
【特許文献３】特開２００５−１４４０５号公報
【特許文献４】特開２００７−２６９３９０号公報
【発明の概要】
【発明が解決しようとする課題】
【００１１】
本発明は、前述した問題に鑑みて案出されたものであり、その目的とするところは、印刷や加飾フィルムを用いることなく、無地の紙基材にエンボス加工を施すだけで、アイキャッチ性（視認性）や加飾性（装飾性）に優れた紙容器用の紙製スリーブ及び紙容器を提供することにある。
【課題を解決するための手段】
【００１２】
第１発明に係る紙容器用紙製スリーブは、一周する一続きの曲面を有し、この曲面にエンボス加工を施すことにより略同形状のセルが隙間なく連なって形成された紙容器用の紙製スリーブであって、前記各セルは、複数の平面が異なった角度で交差する表面形状を有した突起を備えていることを特徴とする。
【００１３】
第２発明に係る紙容器用紙製スリーブは、第１発明において、前記表面形状は、交差する平面同士の交差角度が２０°以上であることを特徴とする。
【００１４】
第３発明に係る紙容器用紙製スリーブは、第１発明又は第２発明において、面発光で内部を一定照度に保つことが可能なドーム照明内に水平面に対して６０°傾斜した状態で設置され、前記ドーム照明内の照度を１１００ルクスに設定したときに、前記ドーム照明の中央上方から測定した前記表面形状で反射する前記各セル内の最高輝度点と最低輝度点との輝度差が５０ｃｄ／ｍ2以上となっていることを特徴とする。
【００１５】
第４発明に係る紙容器用紙製スリーブは、第３発明において、前記各セルの最高輝度点と最低輝度点の間隔が６ｍｍ以上１４ｍｍ以下となっていることを特徴とする。
【００１６】
第５発明に係る紙容器は、上方に向かって拡径する内カップの外周に第１発明ないし第４発明のいずれかの発明の紙容器用紙製スリーブが巻着されていることを特徴とする。
【００１７】
第６発明に係る紙容器は、第５発明において、前記内カップの側周面が鉛直面となす傾斜角度をａ°、前記各セルの前記表面形状を形成する最上面が前記内カップの側周面となす交差角度をｂ°、光源の中心線が水平面となす照明角度をｃ°とした場合、交差角度ｂが次式を満たすことを特徴とする。
【００１８】
【数１】
2017030852.tif 000003
【発明の効果】
【００１９】
第１発明〜第４発明によれば、各セルは、複数の平面が異なった角度で交差する表面形状を有した突起を備えているので、突起の上面は、反射角度が分散される曲面と相違して反射角度が分散されずに均一な平面からなるため、照明等を的確に反射して高輝度の面ができる一方で、突起の下面側は影となり低輝度面が形成され、これらの輝度差から人間工学的に肉眼での視認性、即ち、アイキャッチ性が向上する。このため、印刷や加飾フィルムを用いることなく、無地の紙基材にエンボス加工を施すだけで、加飾性（装飾性）が付与され、紙製スリーブが巻着された商品の商品価値が向上する。
【００２０】
特に、第２発明によれば、表面形状は、交差する平面同士の交差角度が２０°以上であるので、各セルの輝度差がより顕著となり、さらにアイキャッチ性（視認性）や加飾性（装飾性）が向上する。
【００２１】
特に、第３発明によれば、各セル内の最高輝度点と最低輝度点との輝度差が５０ｃｄ／ｍ2以上となっているので、５０ｃｄ／ｍ2以上の輝度差によりさらにアイキャッチ性（視認性）や加飾性（装飾性）が向上する。
【００２２】
特に、第４発明によれば、各セルの最高輝度点と最低輝度点の間隔が６ｍｍ以上１４ｍｍ以下となっているので、空間周波数特性を考慮した肉眼で最もコントラスト感度が良くなる範囲が、紙製スリーブから１ｍ〜２．５ｍ程度離れた位置から観察した場合となり、実際の商品陳列状態で観察した場合に合致するため、実際の商品陳列状態でのアイキャッチ性（視認性）がさらに向上する。
【００２３】
第５発明及び第６発明によれば、印刷や加飾フィルムを用いることなく、無地の紙基材にエンボス加工を施すだけで、加飾性（装飾性）やアイキャッチ性（視認性）に優れた紙容器を提供することができる。
【００２４】
特に、第６発明によれば、各セルの上面は、照明からの光を紙容器の陳列高さより上方へ反射するため、紙容器の一般的な商品陳列状態において上方から紙容器を視認する看者にとっては高輝度面として視認される。一方、各セルの下面は、照明からの光をそれより下方に反射するため、各セルの上面と下面で輝度差、即ちコントラストが生まれ、看者に高輝度面がはっきりと視認されて、さらにアイキャッチ性（視認性）や加飾性（装飾性）が向上する。
【図面の簡単な説明】
【００２５】
【図１】本発明の実施形態に係る紙容器を示す斜視図である。
【図２】同上の紙容器を示す部分拡大断面図である。
【図３】同上の紙容器用の紙製スリーブを示す部分拡大正面図である。
【図４】同上の紙製スリーブのエンボス加工による第１実施形態に係るセルを示す図であり、（ａ）が正面図、（ｂ）が鉛直断面図である。
【図５】同上の紙製スリーブのエンボス加工による第２実施形態に係るセルを示す図であり、（ａ）が正面図、（ｂ）が鉛直断面図である。
【図６】同上の紙製スリーブの輝度測定装置の構成を示す模式図である。
【図７】同上の輝度測定装置の主にドーム照明の構成を示す構成説明図である。
【図８】同上の輝度測定装置で輝度を測定した各セルの測定点を示す測定点図である。
【図９】同上の輝度測定装置でドーム照明内に０°、３０°、６０°で傾斜してスリーブを設置した場合の輝度測定結果を示す加工写真である。
【図１０】同上の輝度測定結果のうちドーム内に６０°で傾斜してスリーブを設置した場合を示す加工写真である。
【図１１】紙容器の内カップに対するセル上面の交差角度と照明の反射角度の関係を示す反射角度説明図であり、（１）が傾斜角度３０°、（２）が２０°、（３）が１５°、（４）が１０°、（５）が５°である。
【図１２】内カップの側周面の傾斜角度と、セルの上面が内カップの側周面となす交差角度と、光源の照明角度との関係を示す説明図である。
【図１３】（ａ）は人間の明暗の空間周波数特性を示すグラフであり、（ｂ）はそれを説明するための模式図である。
【図１４】空間周波数特性を考慮した場合の視認距離とエンボスセル一辺の大きさとの関係を示すグラフである。
【発明を実施するための形態】
【００２６】
以下、本発明の実施形態に係る紙容器用紙製スリーブ及び紙容器について、図面を参照しながら詳細に説明する。
【００２７】
［紙容器］
先ず、図１〜図５を用いて、本発明の実施形態に係る紙容器について説明する。図１に示すように、本発明の実施形態に係る紙容器１は、上方に向かって拡径する逆円錐台状の側周面を有する紙基材を主体とする内カップ２と、この内カップ２の側周面の外周に巻着された外スリーブ３などから構成されている。
【００２８】
（内カップ）
図１、図２に示すように、内カップ２は、紙基材を主体とする紙積層体から上方に向かって拡径する逆円錐台状に成形された胴部２０と、同様に紙積層体から円板状に成形され、胴部２０の下端付近に止め付けられた底部２１など、から構成されている。
【００２９】
紙積層体は、紙基材を主体として、その表裏両面に水漏れを防止するなどカップとしての機能を果たすためにポリエチレンフィルムなどの樹脂層が積層されたものであり、さらに、紙容器１に収容する内容物に応じてガスバリア層などを樹脂層間に間挿してもよい。
【００３０】
胴部２０は、前述の紙積層体のロールから扇形に切断されたブランク（無地）から左右の端部が接着されて、図２に示すように、鉛直面となす傾斜角度が８°のテーパーが付いた逆円錐台状に組み立てられている。そして、この胴部２０の上端の縁部分は、強度を増すためロール成形されて鉛直断面上円弧状とされた縁２２となっている。
【００３１】
底部２１は、図１、図２に示すように、前述の紙積層体から円板状に切断されたブランクの縁が、下方へ折り曲げられるとともに胴部２０の下端と一緒に折り曲げ接着されて内カップ２の底面を形成している。
【００３２】
（外スリーブ）
次に、本発明の実施形態に係る紙容器用紙製スリーブである外スリーブ３について説明する。図３は、外スリーブ３のみを展開して一部を省略して示す正面図である。外スリーブ３は、図３等に示すように、紙基材から扇状に切断されたブランクからエンボス加工により四角垂状の表面形状を呈した略同形状の突起であるダイヤセル３０が隙間なく連なって形成（連設）されている。本実施形態では、一周３２個のダイヤセル３０が５段に亘り形成されている。また、本実施形態では突起の先端は容器外側を向いているが、容器内側に向いていても良い。
【００３３】
＜第１実施形態ダイヤセル＞
図４は、この外スリーブ３の第１実施形態に係るダイヤセル３０の１つを拡大して示す図であり、（ａ）が正面図、（ｂ）が鉛直断面図である。この第１実施形態に係るダイヤセル３０の表面形状は、図１等に示すように、それぞれ三角形状の複数の異なった角度で交差する平面からなり、図４（ａ）に示すように、上面３１と、下面３２と、左面３３と、右面３４から構成されている。
【００３４】
このダイヤセル３０の高さは、図４（ａ）に示すように、１２．５ｍｍであり、幅は、上面３１の上端の幅が下面３２の下端の幅より広くなっている。また、個々のダイヤセル３０は、上方に向かって拡径する逆円錐台状の胴部２０に巻着される関係上、図３等に示す上段に位置するダイヤセル３０の方が、下段に位置するダイヤセル３０より幅が広くなっている。本実施形態では、最下段のダイヤセル３０の下面３２の幅は、１０．５ｍｍ程度であり、最上段のダイヤセル３０の下面３２の幅は、１２．０ｍｍ程度となっている。
【００３５】
また、図４（ｂ）に示すように、ダイヤセル３０の上面３１と下面３２は、異なる傾斜角度で鈍角（１５９．４°）に交差している。つまり、上面３１の傾斜角度と、下面３２の傾斜角度の差、即ち交差角度は、２０．６°であり、ダイヤセル３０の突起の高さが、１．１４ｍｍとなっている。このような交差角度の付いた平面からなるダイヤセル３０の突起の表面形状により、後述の照明の反射角度の顕著な相違を生み出し、輝度差（コントラスト）が生じる。
【００３６】
なお、図示しないが、左面３３と、右面３４も同様に交差角度は、２０．６°であり、左面３３と、右面３４でもダイヤセル３０の突起の表面形状によるコントラストが生じる。
【００３７】
＜第２実施形態ダイヤセル＞
次に、図５を用いて、前述の第１実施形態に係るダイヤセル３０の別例である第２実施形態に係るダイヤセル３０’について説明する。ダイヤセル３０’がダイヤセル３０と相違する点は、その突起の突出高さ等だけであるので、その点について主に説明し、その他は、説明を省略する。
【００３８】
ダイヤセル３０’は、ダイヤセル３０と同様に、それぞれ三角形状の複数の異なった角度で交差する平面からなり、図５（ａ）に示すように、上面３１’と、下面３２’と、左面３３’と、右面３４’から構成されている。
【００３９】
ダイヤセル３０’の上面３１’と下面３２’は、図５（ｂ）に示すように、交差角度１３．２°で鈍角（１６６．８°）に交差しており、ダイヤセル３０’の突起の突出高さは、０．７２ｍｍとなっている。また、ダイヤセル３０’の左面３３’と、右面３４’の交差角度も１３．２°となっている。
【００４０】
［輝度測定方法］
次に、図６〜図１０を用いて、アイキャッチ性（視認性）の人間工学的な定量化の一手法として外スリーブ（紙容器）の輝度差を測定する輝度測定方法を説明する。
【００４１】
アイキャッチ性（視認性）は、主観的要素が強く、定量的に把握することが困難であった。しかし、人間工学的には、人間の視覚は、コントラストが強い程、即ち、物品の輝度差が大きい程視認し易いことが知られており、本願発明者らは、外スリーブ（紙容器）の輝度差を測定することにより、アイキャッチ性（視認性）を定量的に把握できるものと考え、次のような実験を行った。
【００４２】
＜輝度測定装置＞
先ず、図６、図７を用いて、輝度測定装置について説明する。輝度測定装置は、内部を一定照度に保つことが可能なドーム照明Ｄと、このドーム照明Ｄ内に設置された測定対象であるワークＷを撮影するカメラＣａと、このカメラＣａで撮影した画像を解析するコンピュータＰＣと、ドーム照明Ｄに電気的に接続する直流電源ＤＣなど、から構成されている。この輝度測定装置は、極力不必要な反射を防ぐため黒色の台上に設置される。
【００４３】
（ドーム照明）
ドーム照明Ｄとしては、シーシーエス株式会社製の型番ＨＰＤ−２５０ＳＷのドーム照明を用いた。このドーム照明Ｄは、内径：１０５ｍｍ×外径：１３３ｍｍ×高さ：１３１．５ｍｍで頂部に撮影用の直径５０ｍｍの孔が穿設された照明であり、面発光により内部の照度を一定に保つことができる構造となっている。
【００４４】
このドーム照明Ｄの光源は、ちらつき防止のため白色のＬＥＤが採用されており、２４Ｖの直流電源ＤＣで作動し、最大３７Ｗで発光する。
【００４５】
（カメラ）
カメラＣａは、半導体素子からなるＣＣＤイメージセンサを搭載したＣＣＤカメラであり、３５°の角度レンズが装着され、三脚等に吊り下げられることにより、台上からＣＣＤイメージセンサまでの距離が７６０ｍｍとなる高さに設置されている。
【００４６】
（コンピュータ）
コンピュータＰＣは、後述のソフトが動作可能な一般的なコンピュータ（例えば、パーソナルコンピュータ）であれば良く、前述のカメラＣａを制御する録画像ソフト（(有)ＨＩ−ＬＡＮＤ製  ソフト名：ＥＬＦ）と、撮影した画像を解析・加工する解析ソフト（(有) ＨＩ−ＬＡＮＤ製  ソフト名：Ａｎａｌｙｓｉｓ）がインストールされている。
【００４７】
（ワーク）
また、輝度の測定対象であるワークＷとしては、突起の突出高さやカットが相違する前述のダイヤセル３０と略相似形のエンボス加工が施された前述の外スリーブ３と同様の５サイズの外スリーブのブランクと、エンボス加工が施されていない外スリーブのブランクと、従来の互いに離間した飛び飛びの曲面エンボス加工が施された外スリーブのブランクの、計７種類を、原紙メーカ２社分それぞれ用意した。なお、原紙メーカによりエンボス加工の突起の高さも微妙に相違しているため、用意したワークＷは、全部で１３種類となっている。
【００４８】
（輝度の測定）
輝度の測定は、前述の輝度測定装置を用いて、照明をつけずにドーム照明Ｄ外の環境を暗くするとともに、ドーム照明Ｄ内の照度を1100ルクス(lux)に設定して、録画像ソフトを用いコンピュータＰＣを介してカメラＣａを制御し、シャッタースピードを１/250秒、ゲイン(Gain)０ｄB（デシベル）にコントロールして撮影した。また、撮影対象であるワークＷを、ドーム照明Ｄ内に水平面に対して０，３０，６０°で傾斜させた状態でそれぞれ種類ごと１０回ずつ撮影した。
【００４９】
そして、解析ソフトを用いてコンピュータＰＣにより撮影した画像を解析した。コンピュータＰＣでは、撮影した画像の中央の１つのセルを抽出し、図８に示すように、前述のダイヤセル３０（ダイヤセル３０’）の中心線に沿った９点において輝度を解析して出力した。この出力を１０画像分、即ち１０回繰り返し、平均値、最大値、最小値、輝度差等を算出し、測定値とした。
【００５０】
＜輝度測定結果＞
この輝度測定方法で測定した結果を加工写真にして図９に示す。カラー写真をグレースケール化しているので、少し判別しにくいが、基本的に、図９において、色が濃い程輝度が高いと判定（測定）されている。図９から明らかなように、ワークＷを６０°で傾斜して測定した場合が輝度差（コントラスト）が大きいことが判る。
【００５１】
この測定結果で最も大きな輝度差がついた太線内の２つの加工写真を抜き出し、図１０に示す。（１）の加工写真（図９のダイヤカット1.5ｍｍエンボス高さ0.72ｍｍ）が、前述の第２実施形態に係るダイヤセル３０’のエンボス加工が施された外スリーブ３’のブランクをドーム照明Ｄ内に水平面に対して６０°で傾斜させた状態で撮影・測定したものであり、（２）の加工写真（図９のダイヤカット2.0ｍｍエンボス高さ1.14ｍｍ）が、前述の第１施形態に係るダイヤセル３０のエンボス加工が施された外スリーブ３のブランクをドーム照明Ｄ内に水平面に対して６０°で傾斜させた状態で撮影・測定したものである。なお、従来の曲面エンボス加工で突起の高さが0.64ｍｍのものを参考として（３）の加工写真を掲示している。
【００５２】
また、解析ソフトを用いてコンピュータＰＣによりカメラＣａで撮影した画像を解析して算出した１０回分の輝度の平均値、最大値、最小値、輝度差を、図１０に相当するワークの分について、出力して表にまとめたのが次の表１である。
【００５３】
【表１】
2017030852.tif 000004
【００５４】
図１０、表１から明らかなように、第１実施形態に係るダイヤセル３０を有する外スリーブ３の方が、第２実施形態に係るダイヤセル３０’を有する外スリーブ３’より輝度差（Ｒ）が大きくなっており、アイキャッチ性（視認性）が高い。また、従来の外スリーブ、即ち、複数の平面が異なった角度で交差する表面形状を有したダイヤセルではない、飛び飛びの曲面突起からなる従来の曲面エンボス（突出高さ：0.64ｍｍ）加工が施された外スリーブと、外スリーブ３と、を比べると、輝度差（Ｒ）において２倍程の差が見られる。
【００５５】
以上説明したように、本発明の実施形態に係る紙容器１によれば、ダイヤセル３０の上面３１は、反射角度が分散される曲面と相違して反射角度が分散されずに均一な平面からなるため、照明等を的確に反射して高輝度の面ができる一方で、ダイヤセル３０の下面３２は影となり低輝度面が形成され、これらの輝度差からアイキャッチ性（視認性）が向上する。このため、印刷や加飾フィルムを用いることなく、無地の紙基材にエンボス加工を施すだけで、加飾性（装飾性）が付与され、紙製スリーブが巻着された紙容器の商品価値が向上する。
【００５６】
また、第１実施形態に係るダイヤセル３０を有する外スリーブ３によれば、上面３１と下面３２の交差角度が２０°以上となっているので、ダイヤセル３０内の最高輝度点と最低輝度点との輝度差が５０ｃｄ／ｍ2以上となっており（表１参照）、さらにアイキャッチ性（視認性）や加飾性（装飾性）が向上する。
【００５７】
［視認性と光線の反射角度の関係］
次に、ダイヤセルの上面と内カップの側周面（胴部）の交差角度と、アイキャッチ性（視認性）との関連性について考察した点を説明する。図１１は、紙容器の内カップに対するセル上面の交差角度と照明の反射角度の関係を示す反射角度説明図である。
【００５８】
紙容器のセルを人間が視認する場合は、光源から放射状に出た光線が、紙容器のダイヤセルの上面等に反射して、反射した光が人間の目に入った場合に紙容器のセルを視認することとなる。光源は、一般に紙容器の上方に位置しているため、内カップの側周面が鉛直面となす傾斜角度を実施形態と同じ８°と仮定して、光源が仮に紙容器から３０°方向にあった場合について考察する。ここで、光源が紙容器から３０°方向にあるとは、光源の中心とセル上面の図心とを結んだ線が、水平面に対して３０°傾斜していることを指している。
【００５９】
図１１は、光源が紙容器から３０°方向にある点と、内カップの側周面が鉛直面となす傾斜角度が８°である点を一定として、セル上面が内カップの側周面となす交差角度を３０°から徐々に小さくした場合に、反射光線の角度がどのように変化するかを図示したものである。（１）が交差角度３０°、（２）が２０°、（３）が１５°、（４）が１０°、（５）が５°である。
【００６０】
図１１から分かるように、セル上面が内カップの側周面となす交差角度が大きい程、反射光線が視野に入り易く視認し易いと考えられる。つまり、一般に、紙容器が商品として店舗等に陳列されている状態では、人の視線より下に位置しているものと考えられる。このことから、反射光線が上方、即ち、水平より上に向いている場合は、人の目に入り易く、視認し易いと考えられる。よって、図１１では、（１）の場合が最もアイキャッチ性（視認性）が高いと結論付けられる。
【００６１】
次に、図１２を用いて、光源と紙容器の位置関係が３０°ではない場合と、内カップの側周面が鉛直面となす傾斜角度が実施形態に係る８°でない場合も含めて、光線の反射角度と、セル上面の傾斜角度について考察する。ここで、図１２に示すように、内カップの側周面が鉛直面となす傾斜角度をａ°、各セルの上面が内カップの側周面となす交差角度をｂ°と仮定する。
【００６２】
図１２に示すように、光源の中心とセル上面の図心とを結んだ線（以下中心線という）が水平面に対してｃ°傾斜して、セル上面が水平面に対してｘ°傾斜していると仮定すると、セル上面で光が反射する場合の反射光線は、セル上面の法線に対して等角に反射することから、この法線と光源の中心線とがなす角度をｙ°とすると、２ｙ≦ｃの場合に反射光線が水平面より上方になる。
【００６３】
法線の傾斜角度は、（ｘ+９０）度であるから、この法線の傾斜角度（ｘ+９０）から光源の中心線の傾斜角度（（９０−ｃ）+９０）度を引くと、法線と光源の中心線とがなす角度をｙが求まる。即ち、ｙ＝ｘ+９０−（（９０−ｃ）+９０）＝ｘ＋ｃ−９０となる。
【００６４】
次に、ｙ＝ｘ＋ｃ−９０を先ほどの、２ｙ≦ｃ代入して整理すると、
２ｘ≦１８０−ｃとなる。また、三角形の内角の和は、１８０°であることから、前述の仮定より、ｘ＝９０−ｂ＋ａである。
【００６５】
２ｘ≦１８０−ｃにｘ＝９０−ｂ＋ａを代入して整理すると次式となる。
【００６６】
【数１】
2017030852.tif 000005
【００６７】
よって、前式を満たせば、セル上面で反射する反射光線が水平面より上方に向くこととなり、視線より下に位置している紙容器のアイキャッチ性（視認性）が向上すると結論付けられる。つまり、前式を満たせば、セルの上面は、照明からの光を紙容器の陳列高さより上方へ反射するため、紙容器の一般的な商品陳列状態において上方から紙容器を視認する看者にとっては高輝度面として視認される。一方、各セルの下面は、照明からの光をそれより下方に反射するため、各セルの上面と下面で輝度差、即ちコントラストが生まれ、看者に高輝度面がはっきりと視認されて、さらにアイキャッチ性（視認性）や加飾性（装飾性）が向上する。
【００６８】
［空間周波数特性］
次に、空間周波数特性を考慮してエンボス加工によるセルの大きさとアイキャッチ性（視認性）との関連性について考察した点を説明する。
【００６９】
空間周波数特性とは、日常の視覚をより現実的・定量的に評価する手段であり、人間の視覚において空間周波数の相対感度が、図１３（ａ）に示すように、高い空間周波数域と低い空間周波数域があることを指している。
【００７０】
ここで空間周波数とは、図１３（ｂ）に示すように、視野１°の範囲に見える縞模様の数である。人間の明暗の空間周波数特性によれば、図１３（ａ）に示すように、視野１°に対して３個の縞模様（3cycles/degree）が最も視認し易く、視野１°に対して１０個の縞模様（10cycles/degree）になると縞模様であるか否かの識別が極端にできなくなるということが分かる。
【００７１】
この空間周波数特性を考慮してエンボス加工によるセルの大きさとアイキャッチ性（視認性）との関連性について考察する。縞模様をダイヤセルの最高輝度点と最低輝度点の間隔に置き換えて、空間周波数特性を考慮すると、視野１°に対してこの最高輝度点と最低輝度点との間隔が３個入る程度離れた距離からダイヤセルを見た場合に最も相対感度が高く、アイキャッチ性（視認性）が高いと結論付けられる。
【００７２】
しかし、店舗等において紙容器を商品として陳列状態で探す場合、その視認距離は、店舗の大きさに関係なく１ｍ〜２．５ｍ程度と考えられる。よって、視認距離ではなく、明暗の間隔を変数として考えると、図１４に示すように、明暗の間隔（エンボスセルの一辺の間隔）、即ち、最高輝度点と最低輝度点との間隔が６ｍｍ〜１４ｍｍであれば、陳列状態におけるアイキャッチ性（視認性）が高いと結論付けられる。
【００７３】
つまり、外スリーブの各セルの最高輝度点と最低輝度点の間隔を６ｍｍ以上１４ｍｍ以下とすると、空間周波数特性を考慮した肉眼で最もコントラスト感度が良くなる範囲が、外スリーブから１ｍ〜２．５ｍ程度離れた位置から観察した場合となり、実際の商品陳列状態で観察した場合に合致するため、実際の商品陳列状態でのアイキャッチ性（視認性）が向上する。
【００７４】
以上、本発明の実施形態に係る紙容器用紙製スリーブ及び紙容器について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【００７５】
特に、本発明の実施形態に係る紙容器用紙製スリーブとして、扇形のブランクからエンボス加工され、逆円錐台状に成形された胴部を有する内カップに巻着するものを例示して説明したが、本発明に係る紙容器用紙製外スリーブは逆円錐台状のものに巻着される場合に限られず、一周する一続きの曲面を有し、この曲面にエンボス加工を施すことにより略同形状のセルが隙間なく連なって形成された紙容器用の紙製スリーブであれば、適用することができる。
【符号の説明】
【００７６】
１                                            ：紙容器
２                                            ：内カップ
２０                                          ：胴部
２１                                          ：底部
３                                            ：外スリーブ（スリーブ）
３０，３０’                                  ：ダイヤセル
３１，３１’                                  ：上面
３２，３２’                                  ：下面
３３，３３’                                  ：左面
３４，３４’                                  ：右面
Ｄ                                            ：ドーム照明
Ｃａ                                          ：カメラ
ＰＣ                                          ：コンピュータ
ＤＣ                                          ：直流電源
Ｗ                                            ：ワーク
【図１】
2017030852.tif 000007
【図２】
2017030852.tif 000008
【図３】
2017030852.tif 000009
【図４】
2017030852.tif 000010
【図５】
2017030852.tif 000011
【図６】
2017030852.tif 000012
【図７】
2017030852.tif 000013
【図８】
2017030852.tif 000014
【図１１】
2017030852.tif 000015
【図１２】
2017030852.tif 000016
【図９】
2017030852.tif 000017
【図１０】
2017030852.tif 000018
【図１３】
2017030852.tif 000019
【図１４】
2017030852.tif 000020